(57)【要約】  送信側での軸ずれに対する受信側での光パワーの結合ロスを良好に緩和する。  第１のレンズと第２のレンズを持つコネクタ本体を備える。第１のレンズは、発光体から出射される光を収束する。第２のレンズは、第１のレンズで収束された光を成形して出射する。例えば、第２のレンズは、第１のレンズから出射される光をコリメート光に成形する。発光体から第２のレンズまでの距離が長くなることを抑制すると共に発光体からの光の径を第２のレンズ径内に収まるように規制しつつ、第２のレンズの焦点距離を長くでき、送信側での軸ずれに対する受信側での光パワーの結合ロスを緩和し得る。
2020121769.tif 000002
【特許請求の範囲】
【請求項１】
発光体から出射された光を収束する第１のレンズと該第１のレンズで収束された光を成形して出射する第２のレンズを持つコネクタ本体を備える
光コネクタ。
【請求項２】
上記コネクタ本体は密閉空間を有し、
上記第１のレンズは上記密閉空間に位置する
請求項１に記載の光コネクタ。
【請求項３】
上記第１のレンズは１つまたは２つ以上のレンズからなる
請求項１に記載の光コネクタ。
【請求項４】
上記コネクタ本体は、上記発光体から出射された光が入射される第１の光学部と、上記第２のレンズを持つ第２の光学部からなる
請求項１に記載の光コネクタ。
【請求項５】
上記第１のレンズは、上記第１の光学部および/または上記第２の光学部に含まれる
請求項４に記載の光コネクタ。
【請求項６】
上記発光体は光ファイバであり、
上記コネクタ本体は、上記光ファイバを挿入する挿入孔を有する
請求項１に記載の光コネクタ。
【請求項７】
上記第１のレンズは、上記挿入孔の底部分に存在する
請求項６に記載の光コネクタ。
【請求項８】
上記挿入孔は、上記光ファイバが挿入固定されたフェルールを挿入するための挿入孔である
請求項７に記載の光コネクタ。
【請求項９】
上記コネクタ本体は、上記挿入孔の底部分に光路を変更するための光路変更部を持ち、上記光ファイバから出射された光は上記光路変更部で光路変更されて上記第１のレンズに入射される
請求項６に記載の光コネクタ。
【請求項１０】
上記発光体は、電気信号を光信号に変換する発光素子である
請求項１に記載の光コネクタ。
【請求項１１】
上記発光素子は上記コネクタ本体に接続されており、
上記発光素子から出射された光は光路変更されずに上記第１のレンズに入射される
請求項１０に記載の光コネクタ。
【請求項１２】
上記コネクタ本体は光路を変更するための光路変更部を持ち、
上記発光素子は基板に固定されており、
上記発光素子から出射された光は上記光路変更部で光路変更されて上記第１のレンズに入射される
請求項１０に記載の光コネクタ。
【請求項１３】
上記第２のレンズは、上記第１のレンズから出射される光をコリメート光に成形するためのレンズである
請求項１に記載の光コネクタ。
【請求項１４】
上記コネクタ本体は、
光透過性材料からなり、
上記第１のレンズおよび上記第２のレンズを一体的に持つ
請求項１に記載の光コネクタ。
【請求項１５】
上記コネクタ本体は、上記第１のレンズと上記第２のレンズの組み合わせを複数持つ
請求項１に記載の光コネクタ。
【請求項１６】
上記コネクタ本体は凹状の光出射部を持ち、
上記第２のレンズは上記光出射部の底部分に位置する
請求項１に記載の光コネクタ。
【請求項１７】
上記コネクタ本体は、前面側に、接続相手側のコネクタとの位置合わせをするための凸状あるいは凹状の位置規制部を一体的に持つ
請求項１に記載の光コネクタ。
【請求項１８】
上記発光体をさらに備える
請求項１に記載の光コネクタ。
【請求項１９】
プラグとしての光コネクタを有する光ケーブルであって、
上記光コネクタは、
発光体から出射された光を収束する第１のレンズと該第１のレンズで収束された光を成形して出射する第２のレンズを持つコネクタ本体を備える
光ケーブル。
【請求項２０】
レセプタクルとしての光コネクタを有する電子機器であって、
上記光コネクタは、
発光体から出射された光を収束する第１のレンズと該第１のレンズで収束された光を成形して出射する第２のレンズを持つコネクタ本体を備える
電子機器。
【発明の詳細な説明】
【技術分野】
【０００１】
本技術は、光コネクタ、光ケーブルおよび電子機器に関する。詳しくは、軸ずれに対する光のパワーロスを緩和可能な光コネクタ等に関する。
【背景技術】
【０００２】
従来、光結合方式による光コネクタ、いわゆる光結合コネクタが提案されている（例えば、特許文献１参照）。光結合コネクタは、各光ファイバの先に光軸を合わせてそれぞれレンズを装着し、光信号を対向するレンズ間で平行光として伝送する方式である。この光結合コネクタでは、光ファイバ同士が非接触の状態で光結合されるため、光ファイバ間に侵入したゴミ等による伝送品質への悪影響も抑えられ、頻繁なかつ丁寧なクリーニングは不要になる。
【先行技術文献】
【特許文献】
【０００３】
【特許文献１】国際公開第２０１７/０５６８８９号
【発明の概要】
【発明が解決しようとする課題】
【０００４】
光結合方式の光コネクタにおいては、例えば、光ファイバのコア径がシングルモードのように非常に小さい場合、送信側におけるレンズ光軸と光ファイバ光路のずれ、いわゆる軸ずれが受信側での大きな光パワーの結合ロスに繋がるという問題があった。【０００５】
本技術の目的は、送信側での軸ずれに対する受信側での光パワーの結合ロスを良好に緩和することにある。
【課題を解決するための手段】
【０００６】
本技術の概念は、
発光体から出射された光を収束する第１のレンズと該第１のレンズで収束された光を成形して出射する第２のレンズを持つコネクタ本体を備える
光コネクタにある。【０００７】
本技術においては、第１のレンズと第２のレンズを持つコネクタ本体を備えるものである。ここで、第１のレンズでは、発光体から出射される光が収束される。また、第２のレンズでは、第１のレンズで収束された光が成形されて出射される。例えば、第１のレンズは１つまたは２つ以上のレンズからなる、ようにされてもよい。また、例えば、第２のレンズは、第１のレンズから出射される光をコリメート光に成形するためのレンズである、ようにされてもよい。【０００８】
このように本技術においては、発光体から出射された光を第１のレンズで収束し、この収束された光を第２のレンズで成形して出射するものである。そのため、発光体から第２のレンズまでの距離が長くなることを抑制すると共に発光体からの光の径を第２のレンズ径内に収まるように規制しつつ、第２のレンズの焦点距離を長くして、送信側での軸ずれに対する受信側での光パワーの結合ロスを緩和することが可能となる。【０００９】
なお、本技術において、例えば、コネクタ本体は密閉空間を有し、第１のレンズは密閉空間に位置する、ようにされてもよい。このように第１のレンズが密閉空間に位置するようにされることで、第１のレンズの表面への塵、埃などの付着を未然に防止できる。【００１０】
また、本技術において、例えば、コネクタ本体は、発光体から出射された光が入射される第１の光学部と、第２のレンズを持つ第２の光学部からなる、ようにされてもよい。この場合、例えば、第１のレンズは、第１の光学部および/または第２の光学部に含まれる、ようにされてもよい。このようにコネクタ本体が第１、第２の光学部からなるようにされることで、第１のレンズの製造などを容易に行うことができる。【００１１】
また、本技術において、例えば、発光体は光ファイバであり、コネクタ本体は、光ファイバを挿入する挿入孔を有する、ようにされてもよい。このようにコネクタ本体が発光体としての光ファイバを挿入する挿入孔を有するようにされることで、光ファイバと第１のレンズとの光軸合わせを容易に行うことができる。【００１２】
この場合、例えば、第１のレンズは、挿入孔の底部分に存在する、ようにされてもよい。このように第１のレンズが挿入孔の底部分に存在するようにされることで、光ファイバと第１のレンズとの光軸合わせの精度をより高めることが可能となる。そして、この場合、挿入孔は、光ファイバが挿入固定されたフェルールを挿入するための挿入孔である、ようにされてもよい。これにより、光ファイバと第１のレンズの間の光軸方向の距離を一定に保つことが容易となる。【００１３】
また、この場合、例えば、コネクタ本体は、挿入孔の底部分に光路を変更するための光路変更部を持ち、光ファイバから出射された光は光路変更部で光路変更されて第１のレンズに入射される、ようにされてもよい。このように光路変更部が設けられることで、設計自由度を上げることができる。そして、この場合、挿入孔は、光ファイバが挿入固定されたフェルールを挿入するための挿入孔である、ようにされてもよい。これにより、光ファイバと光路変更部の間の光軸方向の距離を一定に保つことが容易となる。【００１４】
また、本技術において、例えば、発光体は、電気信号を光信号に変換する発光素子である、ようにされてもよい。このように発光体が発光素子とされることで、発光素子からの光信号を伝送する際に、光ファイバが不要となり、コストの低減が可能となる。【００１５】
この場合、例えば、発光素子はコネクタ本体に接続されており、発光素子から出射された光は光路変更されずに第１のレンズに入射される、ようにされてもよい。また、例えば、コネクタ本体は光路を変更するための光路変更部を持ち、発光素子は基板に固定されており、発光素子から出射された光は光路変更部で光路変更されて第１のレンズに入射される、ようにされてもよい。このように基板に固定された発光素子からの光を光路変更部で光路変更して第１のレンズに入射する構成とされることで、実装が容易となり、設計自由度を上げることができる。【００１６】
また、本技術において、例えば、コネクタ本体は、光透過性材料からなり、第１のレンズおよび第２のレンズを一体的に持つ、ようにされてもよい。この場合、コネクタ本体に対する第１のレンズおよび第２のレンズの位置精度を高めることが可能となる。【００１７】
また、本技術において、例えば、コネクタ本体は、第１のレンズと第２のレンズの組み合わせを複数持つ、ようにされてもよい。このようにコネクタ本体が第１のレンズと第２のレンズの組み合わせを複数持つような構成とされることで、多チャネル化が容易に可能となる。【００１８】
また、本技術において、例えば、コネクタ本体は凹状の光出射部を持ち、第２のレンズは光出射部の底部分に位置する、ようにされてもよい。このように第２のレンズが光出射部の底部分に位置するようにされることで、第２のレンズの表面が相手側のコネクタ等に不用意に当たって傷つくことを防止できる。【００１９】
また、本技術において、例えば、コネクタ本体は、前面側に、接続相手側のコネクタとの位置合わせをするための凸状あるいは凹状の位置規制部を一体的に持つ、ようにされてもよい。これにより、相手側のコネクタとの接続時の光軸合わせが容易となる。【００２０】
また、本技術において、例えば、発光体をさらに備える、ようにされてもよい。このように発光体を備える構成とされることで、発光体を装着する手間を省くことが可能となる。【００２１】
また、本技術の他の概念は、
プラグとしての光コネクタを有する光ケーブルであって、
上記光コネクタは、
発光体から出射された光を収束する第１のレンズと該第１のレンズで収束された光を成形して出射する第２のレンズを持つコネクタ本体を備える
光ケーブルにある。【００２２】
また、本技術の他の概念は、
レセプタクルとしての光コネクタを有する電子機器であって、
上記光コネクタは、
発光体から出射された光を収束する第１のレンズと該第１のレンズで収束された光を成形して出射する第２のレンズを持つコネクタ本体を備える
電子機器にある。
【図面の簡単な説明】
【００２３】
【図１】光結合コネクタの概要を示す図である。
【図２】送信側での光軸ずれに対する受信側での光パワーの結合ロスを減らす方法を説明するための図である。
【図３】コリメート光を用いた光結合コネクタにおける、光軸ずれによる光パワーの結合ロスの発生とその低減方法を説明するための図である。
【図４】実施の形態としての電子機器および光ケーブルの構成例を示す図である。
【図５】光結合コネクタを構成する送信側光コネクタおよび受信側光コネクタの一例を示す斜視図である。
【図６】光結合コネクタを構成する送信側光コネクタおよび受信側光コネクタの一例を示す斜視図である。
【図７】コネクタ本体を構成する第１の光学部と第２の光学部を分離した状態を示す斜視図である。
【図８】コネクタ本体を構成する第１の光学部と第２の光学部を分離した状態を示す斜視図である。
【図９】送信側光コネクタの一例を示す断面図である。
【図１０】受信側光コネクタの一例を示す断面図である。
【図１１】送信側光コネクタおよび受信側光コネクタを接続した状態の一例を示す断面図である。
【図１２】光の結合効率のシミュレーションのための送信側光コネクタの構成の一例を示す図である。
【図１３】光の結合効率のシミュレーション結果の一例を示すグラフである。
【図１４】他の構成例１としての送信側光コネクタを示す断面図である。
【図１５】他の構成例２としての送信側光コネクタを示す断面図である。
【図１６】他の構成例３としての送信側光コネクタを示す断面図である。
【図１７】他の構成例４としての送信側光コネクタを示す断面図である。
【図１８】他の構成例５としての送信側光コネクタを示す断面図である。
【図１９】他の構成例６としての送信側光コネクタを示す断面図である。
【図２０】他の構成例７としての送信側光コネクタを示す断面図である。
【図２１】他の構成例８としての送信側光コネクタを示す断面図である。
【図２２】他の構成例９としての送信側光コネクタを示す断面図である。
【図２３】他の構成例１０としての送信側光コネクタを示す断面図である。
【図２４】収束光（集光方向に曲げられた光）を用いた光結合コネクタにおける、光軸ずれによる光パワーの結合ロスの発生とその低減方法を説明するための図である。
【発明を実施するための形態】
【００２４】
以下、発明を実施するための形態（以下、「実施の形態」とする）について説明する。なお、説明は以下の順序で行う。
１．実施の形態
２．変形例
【００２５】
＜１．実施の形態＞
［本技術の基本説明］
まず、本技術に関する技術について説明をする。図１は、光結合方式の光コネクタ（以下、「光結合コネクタ」という）の概要を示している。この光結合コネクタは、送信側光コネクタ１０と受信側光コネクタ２０で構成されている。
【００２６】
送信側光コネクタ１０は、レンズ１１を持つコネクタ本体１２を有している。受信側光コネクタ２０は、レンズ２１を持つコネクタ本体２２を有している。送信側光コネクタ１０と受信側光コネクタ２０の接続時には、図示のように、レンズ１１とレンズ２１が対向し、かつ、それぞれの光軸が一致した状態とされる。
【００２７】
送信側において、光ファイバ１５は、その出射端がレンズ１１の光軸上の焦点位置に位置するように、コネクタ本体１２に取り付けられる。また、受信側において、光ファイバ２５は、その入射端がレンズ２１の光軸上の焦点位置に位置するように、コネクタ本体２２に取り付けられる。
【００２８】
送信側の光ファイバ１５から出射された光はコネクタ本体１２を介してレンズ１１に入射され、レンズ１１からはコリメート光に成形された光が出射される。このようにコリメート光に成形された光はレンズ２１に入射されて集光され、コネクタ本体２２を介して受信側の光ファイバ２５の入射端に入射される。これにより、送信側の光ファイバ１５から受信側の光ファイバ２５への光（光信号）の伝送が行われる。
【００２９】
図１に示すような光結合コネクタにおいて、光ファイバのコア径がシングルモードといった８μｍφ程度と非常に小さい場合、送信側でのレンズ光軸に対する光ファイバ光路のずれ（光軸ずれ）が、受信側での光パワーの結合ロスに大きく効いてくる。そのため、この光結合コネクタの場合、送信側での軸ずれを抑えるために、高い部品の精度が必要となり、コストアップとなる。
【００３０】
送信側での光軸ずれに対する受信側での光パワーの結合ロスを減らす方法として、送信側のレンズ１１の焦点距離を長くして、このレンズ１１から光源、つまり送信側の光ファイバ１５の出射端までの距離を長くすることが考えられる。
【００３１】
送信側の光源Ｐから受信側の集光ポイントＱに光を伝送するとして説明する。図２（ａ）は、送信側において、レンズ１１から光源Ｐまでの距離を長くしていない状態を示している。この場合、送信側の光源Ｐの位置がＰ´までＡだけずれたとき、受信側の集光ポイントＱの位置はＱ´までＹだけずれる。
【００３２】
図２（ｂ）は、送信側において、レンズ１１の曲率を緩くして焦点距離を長くし、レンズ１１から光源Ｐまでの距離を長くした状態を示している。この場合、送信側の光源Ｐの位置がＰ´までＡだけずれたとき、受信側の集光ポイントＱの位置はＱ´までＹ´だけずれるが、Ｙ´はＹより小さくなる。
【００３３】
以下の数式（１）は、光源Ｐと集光ポイントＱの関係を一般的に表している。ここで、Ａは光源Ｐの位置ずれ量、Ｂは光源Ｐからレンズ１１までの距離、Ｘはレンズ２１から集光ポイントＱまでの距離、Ｙは集光ポイントＱの位置ずれ量、である。この数式（１）から、Ａが一定の場合、Ｂを長くすることでＹを減らせることが分かる。例えば、ＢがＢ´と長くなると、ＹはＹ´と短くなる。
Ｙ/Ａ＝Ｘ/Ｂ      ・・・（１）
【００３４】
図２（ａ），（ｂ）で説明した理論を、コリメート光を用いた光結合コネクタで考えてみる。図３（ａ）のように、送信側の光ファイバ１５から出射される光を光源とした場合、その光源の位置がずれると、受信側の集光ポイントも大きくずれる（破線参照）。これは、レンズ１１でコリメートされるはずの光が崩れて光軸に対して平行光とならず、受信側では斜めにレンズ２１に入力されて集光ポイントがずれるためである。
【００３５】
しかし、図３（ｂ）に示すように、送信側の光源とレンズ１１との間の距離が長い場合、光源の位置がずれても、図３（ａ）の場合に比べて、光ファイバ１５からレンズ１１への光の入射角度が緩く、またレンズ１１の曲率も緩くなっているため、コリメート光の光軸に対する平行度が崩れにくくなり、その結果、受信側のレンズ２１には光軸に対する平行度を保ったままコリメート光が入射され、集光ポイントはずれにくくなる（破線参照）。これにより、送信側での光軸ずれに対する受信側での光パワーの結合ロスを減らすことが可能となる。
【００３６】
図３（ｂ）に示すように送信側の光源とレンズ１１との間の距離を長くする場合、光ファイバには固有のＮＡ（Numerical Aperture：開口数）が決まっており、コリメート光の径を一定に保とうとした場合は、光源からレンズ１１までの最大距離はＮＡによって制限される。また、たとえＮＡが小さい光源であったとしても、光源からレンズ１１までの距離が長くなると部品製造時に光源とレンズ１１の中心を合わせる精度が低くなることで受信側での光パワーの結合ロスの増加を招き、あるいは精度確保のためのさらなるコストアップを招き、あるいはコネクタ長が長くなることによるユーザビリティの低下等に繋がる。
【００３７】
［電子機器および光ケーブルの構成例］
図４は、実施の形態としての電子機器１００および光ケーブル２００Ａ，２００Ｂの構成例を示している。電子機器１００は、光通信部１０１を備えている。光通信部１０１は、発光部１０２、光伝送路１０３、レセプタクルとしての送信側光コネクタ３００Ｔ、レセプタクルとしての受信側光コネクタ３００Ｒ、光伝送路１０４および受光部１０５を備えている。光伝送路１０３および光伝送路１０４は、それぞれ、光ファイバによって実現することができる。
【００３８】
発光部１０２は、ＶＣＳＥＬ（Vertical Cavity Surface Emitting LASER）等のレーザー素子、またはＬＥＤ（light emitting diode）等の発光素子を備えている。発光部１０２は、電子機器１００の図示しない送信回路で発生される電気信号（送信信号）を光信号に変換する。発光部１０２で発光された光信号は、光伝送路１０３を介して、送信側光コネクタ３００Ｔに送られる。ここで、発光部１０２、光伝送路１０３および送信側光コネクタ３００Ｔにより、光送信器が構成されている。
【００３９】
受信側光コネクタ３００Ｒで受信された光信号は、光伝送路１０４を介して、受光部１０５に送られる。受光部１０５は、フォトダイオード等の受光素子を備えている。受光部１０５は、受信側光コネクタ３００Ｒから送られてくる光信号を電気信号（受信信号）に変換し、電子機器１００の図示しない受信回路に供給する。ここで、受信側光コネクタ３００Ｒ、光伝送路１０４および受光部１０５により、光受信器が構成されている。
【００４０】
光ケーブル２００Ａは、プラグとしての受信側光コネクタ３００Ｒおよびケーブル本体２０１Ａを備えている。光ケーブル２００Ａは、電子機器１００からの光信号を他の電子機器に伝送する。ケーブル本体２０１Ａは光ファイバによって実現することができる。
【００４１】
光ケーブル２００Ａの一端は受信側光コネクタ３００Ｒにより電子機器１００の送信側光コネクタ３００Ｔに接続され、その他端は図示しないが他の電子機器に接続されている。この場合、互いに接続される送信側光コネクタ３００Ｔおよび受信側光コネクタ３００Ｒにより、光結合コネクタが構成されている。
【００４２】
光ケーブル２００Ｂは、プラグとしての送信側光コネクタ３００Ｔおよびケーブル本体２０１Ｂを備えている。光ケーブル２００Ｂは、他の電子機器からの光信号を電子機器１００に伝送する。ケーブル本体２０１Ｂは光ファイバによって実現することができる。
【００４３】
光ケーブル２００Ｂの一端は送信側光コネクタ３００Ｔにより電子機器１００の受信側光コネクタ３００Ｒに接続され、その他端は図示しないが他の電子機器に接続されている。この場合、互いに接続される送信側光コネクタ３００Ｔおよび受信側光コネクタ３００Ｒにより、光結合コネクタが構成されている。
【００４４】
なお、電子機器１００は、例えば、携帯電話、スマートフォン、ＰＨＳ、ＰＤＡ、タブレットＰＣ、ラップトップコンピュータ、ビデオカメラ、ＩＣレコーダ、携帯メディアプレーヤ、電子手帳、電子辞書、電卓、携帯ゲーム機等のモバイル電子機器や、デスクトップコンピュータ、ディスプレイ装置、テレビ受信機、ラジオ受信機、ビデオレコーダ、プリンタ、カーナビゲーションシステム、ゲーム機、ルータ、ハブ、光回線終端装置（ＯＮＵ）等の他の電子機器であることができる。あるいは、電子機器１００は、冷蔵庫、洗濯機、時計、インターホン、空調設備、加湿器、空気清浄器、照明器具、調理器具等の電気製品または後述するような車両の一部または全部を構成することができる。
【００４５】
［光コネクタの構成例］
図５は、光結合コネクタを構成する送信側光コネクタ３００Ｔおよび受信側光コネクタ３００Ｒの一例を示す斜視図である。図６も、送信側光コネクタ３００Ｔおよび受信側光コネクタ３００Ｒの一例を示す斜視図であるが、図５とは逆の方向から見た図である。図示の例は、複数チャネルの光信号の並行伝送に対応したものである。なお、ここでは、複数チャネルの光信号の並行伝送に対応したものを示しているが、詳細説明は省略するが、１チャネルの光信号の伝送に対応するものも同様に構成できる。
【００４６】
送信側光コネクタ３００Ｔは、外観が略直方体状のコネクタ本体３１１を備えている。このコネクタ本体３１１は、第１の光学部３１２および第２の光学部３１３が接続されて構成されている。このようにコネクタ本体３１１が第１、第２の光学部３１２，３１３から構成されることで、図５、図６には図示されていないが、第１のレンズの製造などを容易に行うことができる。
【００４７】
第１の光学部３１２の背面側には、各チャネルにそれぞれ対応した複数の光ファイバ３３０が水平方向に並んだ状態で接続されている。この場合、各光ファイバ３３０は、その先端側が光ファイバ挿入孔３２０に挿入されて固定されている。ここで、光ファイバ３３０は、発光体を構成している。また、第１の光学部３１２の上面側には長方形の開口部を持つ接着剤注入孔３１４が形成されている。この接着剤注入孔３１４から、光ファイバ３３０を第１の光学部３１２に固定するための接着剤が挿入される。
【００４８】
第２の光学部３１３の前面側には、長方形の開口部を持つ凹状の光出射部（光伝達空間）３１５が形成されており、その光出射部３１５の底部分に、各チャネルにそれぞれ対応して複数の第２のレンズ（凸レンズ）３１６が水平方向に並んだ状態で形成されている。これにより、第２のレンズ３１６の表面が相手側のコネクタ等に不用意に当たって傷つくことが防止される。
【００４９】
また、第２の光学部３１３の前面側には、受信側光コネクタ３００Ｒとの位置合わせをするための凸状または凹状、図示の例では凹状の位置規制部３１７が一体的に形成されている。これにより、受信側光コネクタ３００Ｒとの接続時の光軸合わせを容易に行い得るようになる。
【００５０】
図７および図８は、コネクタ本体３１１を構成する第１の光学部３１２と第２の光学部３１３を分離した状態を示す斜視図である。図７と図８は、それぞれ反対方向から見た図である。第１の光学部３１２の前面側には、各チャネルにそれぞれ対応して複数の第１のレンズ（凸レンズ）３１８が水平方向に並んだ状態で形成されている。また、第２の光学部３１３の背面側には、長方形の開口部を持つ凹状の空間３１９が形成されている。
【００５１】
第１の光学部３１２と第２の光学部３１３が接続されてコネクタ本体３１１が構成される（図５、図６参照）。この場合、第２の光学部３１３の背面側に形成されている空間３１９は、第１の光学部３１２の前面側で密閉されて密閉空間となる。そして、第１の光学部３１２の前面側に形成されている第１のレンズ３１８は、この密閉空間３１９に位置した状態となる。このように第１のレンズ３１８が密閉空間３１９に位置するようにされることで、第１のレンズ３１８の表面への塵、埃などの付着を未然に防止できる。
【００５２】
図５、図６に戻って、受信側光コネクタ３００Ｒは、外観が略直方体状のコネクタ本体３５１を備えている。コネクタ本体３５１の背面側には、各チャネルにそれぞれ対応した複数の光ファイバ３７０が接続されている。この場合、各光ファイバ３７０は、その先端側が光ファイバ挿入孔３５６に挿入されて固定されている。また、コネクタ本体３５１の上面側には長方形の開口部を持つ接着剤注入孔３５２が形成されている。この接着剤注入孔３５２から、光ファイバ３７０をコネクタ本体３５１に固定するための接着剤が挿入される。
【００５３】
コネクタ本体３５１の前面側には、長方形の開口部を持つ凹状の光入射部（光伝達空間）３５３が形成されており、その光入射部３５３の底部分に、各チャネルにそれぞれ対応したレンズ３５４が位置するようにされている。これにより、レンズ３５４の表面が相手側のコネクタ等に不用意に当たって傷つくことが防止される。
【００５４】
また、コネクタ本体３５１の前面側には、送信側光コネクタ３００Ｔとの位置合わせをするための凹状または凸状、図示の例では凸状の位置規制部３５５が一体的に形成されている。これにより、送信側光コネクタ３００Ｔとの接続時の光軸合わせを容易に行い得るようになる。なお、この位置規制部３５５は、コネクタ本体３５１に一体的に形成されるものに限定されるものではなく、ピンを用いても良いし、他の手法で行うものであってもよい。
【００５５】
図９は、送信側光コネクタ３００Ｔの一例を示す断面図である。図示の例では、位置規制部３１７（図５参照）の図示を省略している。この図９を参照して、送信側光コネクタ３００Ｔについてさらに説明する。
【００５６】
送信側光コネクタ３００Ｔは、第１の光学部３１２と第２の光学部３１３が接続されて構成されたコネクタ本体３１１を備えている。第１の光学部３１２は、例えば合成樹脂またはガラスなどの光透過性材料、あるいは特定の波長を透過するシリコン等の材料からなり、レンズ付きフェルールの構成となっている。
【００５７】
このように第１の光学部３１２がレンズ付きフェルールの構成とされることで、光ファイバ３３０と第１のレンズ３１８との光軸合わせを容易に行うことができる。また、このように第１の光学部３１２がレンズ付きフェルールの構成とされることで、多チャネルの場合でも、光ファイバ３３０をフェルールに挿入するだけで、多チャネル通信を容易に実現できる。
【００５８】
第１の光学部３１２には、その前面側に、各チャネルに対応した複数の第１のレンズ３１８が水平方向に並んだ状態で一体的に形成されている。これにより、第1の光学部３１２に設置される光ファイバ３３０のコア３３１に対する第１のレンズ３１８の位置精度を、複数チャネルにおいて全部同時に高めることができる。また、第１の光学部３１２には、背面側から前方に延びる光ファイバ挿入孔３２０が、各チャネルの第１のレンズ３１８に合わせて、水平方向に並んだ状態で複数設けられている。光ファイバ３３０は、光路となる中心部のコア３３１と、その周囲を覆うクラッド３３２の二重構造となっている。
【００５９】
各チャネルの光ファイバ挿入孔３２０は、そこに挿入される光ファイバ３３０のコア３３１と、それに対応する第１のレンズ３１８の光軸が一致するように、成形されている。また、各チャネルの光ファイバ挿入孔３２０は、その底位置、つまり光ファイバ３３０を挿入した際に、その先端（出射端）の当接位置が第１のレンズ３１８の焦点位置と合致するように、成形されている。
【００６０】
また、第１の光学部３１２には、上面側から下方に延びる接着剤注入孔３１４が、水平方向に並んだ状態にある複数の光ファイバ挿入孔３２０の底位置付近に連通するように、形成されている。光ファイバ３３０が光ファイバ挿入孔３２０に挿入された後、接着剤注入孔３１４から接着剤３２１が光ファイバ３３０の周囲に注入されることで、光ファイバ３３０は第１の光学部３１２に固定される。
【００６１】
ここで、光ファイバ３３０の先端と光ファイバ挿入孔３２０の底位置との間に空気層が存在すると、光ファイバ３３０から出射された光はその底位置で反射し易くなり、信号品質の低下が発生する。そのため、接着剤３２１は、光透過剤であって、光ファイバ３３０の先端と光ファイバ挿入孔３２０の底位置との間に注入される方が望ましく、これにより反射を低減することができる。
【００６２】
第２の光学部３１３は、例えば合成樹脂またはガラスなどの光透過性材料、あるいは特定の波長を透過するシリコン等の材料からなっている。この第２の光学部３１３は、第１の光学部３１２と接続されてコネクタ本体３１１を構成するものである。熱膨張係数を揃えた方が、熱が変化した際の２つの光学部での歪による光路ずれが抑えられるため、第２の光学部３１３の材料は第１の光学部３１２の材料と同一であることが好ましいが、別材料であってもよい。
【００６３】
第２の光学部３１３には、その前面側に、凹状の光出射部（光伝達空間）３１５が形成されている。そして、この第２の光学部３１３には、この光出射部３１５の底部分に位置するように、各チャネルに対応した複数の第２のレンズ３１６が水平方向に並んだ状態で一体的に形成されている。これにより、第２の光学部３１３に対する第２のレンズ３１６の位置精度を高めることができる。
【００６４】
また、第２の光学部３１３の背面側には、凹状の空間３１９が形成されている。この空間３１９は、第１の光学部３１２の前面側で密閉されて密閉空間とされる。この場合、第１の光学部３１２の前面側に形成されている各チャネルの第１のレンズ３１８は、この密閉空間３１９に位置した状態となる。
【００６５】
上述したように、第１の光学部３１２と第２の光学部３１３が接続されてコネクタ本体３１１が構成される。この接続方法として、ボスのような一方に凹部、もう一方に凸部を新に設けて嵌合する方法、あるいは画像処理システム等でレンズどうしの光軸位置を合わせて接着固定する方法等を採り得る。
【００６６】
送信側光コネクタ３００Ｔにおいて、第１のレンズ３１８は、発光体である光ファイバ３３０から出射された光を収束する機能を持つ。また、第２のレンズ３１６は、第１のレンズ３１８で収束された光をコリメート光に成形して出射する機能を持つ。これにより、光ファイバ３３０の出射端から所定のＮＡで出射された光は第１のレンズ３１８に入射されて収束され（角度が狭められ）、この収束された光は第２のレンズ３１６に入射されてコリメート光に成形されて出射される。
【００６７】
図１０は、受信側光コネクタ３００Ｒの一例を示す断面図である。図示の例では、位置規制部３５５（図５、図６参照）の図示を省略している。この図１０を参照して、受信側光コネクタ３００Ｒについてさらに説明する。
【００６８】
受信側光コネクタ３００Ｒは、コネクタ本体３５１を備えている。コネクタ本体３５１は、例えば合成樹脂またはガラスなどの光透過性材料、あるいは特定の波長を透過するシリコン等の材料からなり、レンズ付きフェルールの構成となっている。
【００６９】
コネクタ本体３５１には、その前面側に、凹状の光入射部（光伝達空間）３５３が形成されている。そして、このコネクタ本体３５１には、この光入射部３５３の底部分に位置するように、各チャネルに対応した複数のレンズ（凸レンズ）３５４が水平方向に並んだ状態で一体的に形成されている。
【００７０】
また、コネクタ本体３５１には、背面側から前方に延びる光ファイバ挿入孔３５６が、各チャネルのレンズ３５４に合わせて、水平方向に並んだ状態で複数設けられている。光ファイバ３７０は、光路となる中心部のコア３７１と、その周囲を覆うクラッド３７２の二重構造となっている。
【００７１】
各チャネルの光ファイバ挿入孔３５６は、そこに挿入される光ファイバ３７０のコア３７１と対応するレンズ３５４の光軸が一致するように、成形されている。また、各チャネルの光ファイバ挿入孔３５６は、その底位置、つまり光ファイバ３７０を挿入した際に、その先端（入射端）の当接位置がレンズ３５４の焦点位置と合致するように、成形されている。
【００７２】
また、コネクタ本体３５１には、上面側から下方に延びる接着剤注入孔３５２が、水平方向に並んだ状態にある複数の光ファイバ挿入孔３５６の底位置付近に連通するように、形成されている。光ファイバ３７０が光ファイバ挿入孔３５６に挿入された後、接着剤注入孔３５２から接着剤３５７が光ファイバ３７０の周囲に注入されることで、光ファイバ３７０はコネクタ本体３５１に固定される。
【００７３】
受信側光コネクタ３００Ｒにおいて、レンズ３５４は、入射されるコリメート光を集光する機能を持つ。この場合、コリメート光がレンズ３５４に入射されて集光され、この集光された光は、受光体である光ファイバ３７０の入射端に所定のＮＡで入射される。
【００７４】
図１１は、光結合コネクタを構成する送信側光コネクタ３００Ｔおよび受信側光コネクタ３００Ｒの断面図を示している。図示の例では、送信側光コネクタ３００Ｔと受信側光コネクタ３００Ｒが接続された状態を示している。
【００７５】
送信側光コネクタ３００Ｔにおいて、光ファイバ３３０を通じて送られてくる光はこの光ファイバ３３０の出射端から所定のＮＡで出射される。この出射された光は第１のレンズ３１８に入射されて収束される。そして、この収束された光は、第２のレンズ３１６に入射されてコリメート光に成形され、受信側光コネクタ３００Ｒに向かって出射される。
【００７６】
また、受信側光コネクタ３００Ｒにおいて、送信側光コネクタ３００Ｔから出射された光は、レンズ３５４に入射されて集光される。そして、この集光された光は、光ファイバ３７０の入射端に入射され、光ファイバ３７０を通じて送られていく。
【００７７】
上述したように構成される光結合コネクタにおいて、送信側光コネクタ３００Ｔは、発光体としての光ファイバ３３０から出射された光を第１のレンズ３１８で収束し、この収束された光を第２のレンズ３１６でコリメート光に成形して出射するものである。そのため、光ファイバ３３０から第２のレンズ３１６までの距離が長くなることを抑制すると共に光ファイバ３３０からの光の径を第２のレンズ３１６の径内に収まるように規制しつつ、第２のレンズ３１６の焦点距離を長くして、送信側での軸ずれに対する受信側での光パワーの結合ロスを緩和することが可能となる。ここで、第２のレンズ３１６の焦点距離を長くすることで、この第２のレンズ３１６に入射される光の角度が緩くなり、またこの第２のレンズ３１６の曲率も緩くなり、送信側での軸ずれに対する受信側の集光ポイントのずれが抑制される。
【００７８】
本技術による効果のシミュレーション結果について説明する。ここでは、光ファイバのモードフィールド径（ＭＦＤ：Mode Field Diameter）は８μｍとし、光ファイバのＮＡが０．１５、コリメート口径が１８０μｍの光学系を用いている。図１２（ａ）は、通常の送信側光コネクタの構成例を示している。図１２（ｂ）は本技術による送信側光コネクタの構成例を示している。なお、受信側光コネクタの構成は、図１２（ａ）に示す従来の送信側光コネクタの構成と同じ構成を用いている。
【００７９】
図１３のグラフは、受信側の光ファイバへ入力される光の結合効率のシミュレーション結果を示している。横軸は軸ずれ量で、光軸に対して垂直方向に光源がずれた場合のずれ量を示し、縦軸は受信側での光の結合効率を示している。実線（ａ）は、図１２（ａ）に示す通常の送信側光コネクタを用いた場合の軸ずれ量と結合効率の関係を示している。実線（ｂ）は、図１２（ｂ）に示す本技術による送信側光コネクタを用いた場合の軸ずれ量と結合効率の関係を示している。
【００８０】
光ファイバのＭＦＤが８μｍであるため、例えば、軸ずれ量が５μｍになると、図１２（ａ）に示す通常の送信側光コネクタを用いた場合には実線（ａ）から７．５割程度のパワーロスが発生する。しかし、図１２（ｂ）に示す本技術による送信側光コネクタを用いた場合には実線（ｂ）からパワーロスは１割程度となり、パワーロスが大幅に減少されている。
【００８１】
なお、本明細書に記載された効果はあくまで例示であって限定されるものではなく、また付加的な効果があってもよい。
【００８２】
［送信側光コネクタの他の構成例］
送信側光コネクタの構成としては、上述した送信側光コネクタ３００Ｔ（図９参照）の他にも種々の構成が考えられる。
【００８３】
「他の構成例１」
図１４は、他の構成例１としての送信側光コネクタ３００Ｔ-1を示す断面図である。この図１４において、図９と対応する部分には同一符号を付し、適宜、その詳細説明は省略する。送信側光コネクタ３００Ｔ-1においては、第１のレンズ３１８は、第１の光学部３１２の前面側ではなく、第２の光学部３１３の背面側に形成された空間３１９の底部分に形成される。
【００８４】
この場合、第１の光学部３１２と第２の光学部３１３が接続される際に、第２の光学部３１３の背面側に形成されている空間３１９は第１の光学部３１２の前面側で密閉されて密閉空間となる。そのため、この送信側光コネクタ３００Ｔ-1においても、図９の送信側光コネクタ３００Ｔと同様に、第１のレンズ３１８は、その密閉空間３１９に位置した状態となり、その表面への塵、埃などの付着を未然に防止できる。
【００８５】
「他の構成例２」
図１５は、他の構成例２としての送信側光コネクタ３００Ｔ-2を示す断面図である。この図１５において、図９と対応する部分には同一符号を付し、適宜、その詳細説明は省略する。送信側光コネクタ３００Ｔ-2においては、第２の光学部３１３の背面側に形成された空間３１９の底部分に２つ目の第１のレンズ（凸レンズ）３２２が形成される。
【００８６】
この送信側光コネクタ３００Ｔ-2においては、光ファイバ３３０の出射端から所定のＮＡで出射された光は第１のレンズ３１８に入射されて収束され（角度が狭められ）、この収束された光は２つ目の第１のレンズ３２２に入射されてさらに収束され（角度が狭められ）、この収束された光は第２のレンズ３１６に入射されてコリメート光に成形されて出射される。
【００８７】
送信側光コネクタ３００Ｔ-2の場合、２つの第１のレンズ３１８，３２２で連続的に角度を狭めることになるため、２つの第１のレンズ３１８，３２２のそれぞれの球面高さを低くでき、レンズの成形容易性を上げることができる。また、この送信側光コネクタ３００Ｔ-2においても、図９の送信側光コネクタ３００Ｔと同様に、２つの第１のレンズ３１８，３２２は、密閉空間３１９に位置した状態となり、その表面への塵、埃などの付着を未然に防止できる。
【００８８】
なお、上述では２つの第１のレンズ３１８，３２２を持つ例を示した。詳細説明は省略するが、第１のレンズとして、さらに多くのレンズを光軸上に配置することも考えられる。
【００８９】
「他の構成例３」
図１６は、他の構成例３としての送信側光コネクタ３００Ｔ-3を示す断面図である。この図１６において、図９と対応する部分には同一符号を付し、適宜、その詳細説明は省略する。送信側光コネクタ３００Ｔ-3においては、第１のレンズ３１８は、第１の光学部３１２の前面側ではなく、光ファイバ挿入孔３２０の最奥である底部分に形成される。このように第１のレンズ３１８を光ファイバ挿入孔３２０の底部分に形成することで、光ファイバ３３０と第１のレンズ３１８との光軸合わせの精度をより高めることが可能となる。
【００９０】
この場合、ファイバ挿入孔３２０に挿入される光ファイバ３３０については、その先端をファイバ挿入孔３２０の底部分に突き当てずに、この底部分から一定距離を保った状態で、つまり第１のレンズ３１８の焦点位置に位置した状態で固定する必要がある。
【００９１】
また、この場合、光ファイバ３３０を第１の光学部３１２に接着固定する際に、接着剤３２１が光ファイバ３３０の先端と第１のレンズ３１８との間に入り込むと光学特性が変わってしまうので、接着剤３２１を注入するための接着剤注入孔３１４の形成位置は、光ファイバ３３０の先端部を避け、接着剤３２１が光ファイバ３３０の先端と第１のレンズ３１８との間に入り込まないようにする必要がある。
【００９２】
「他の構成例４」
図１７は、他の構成例４としての送信側光コネクタ３００Ｔ-4を示す断面図である。この図１７において、図９、図１６と対応する部分には同一符号を付し、適宜、その詳細説明は省略する。送信側光コネクタ３００Ｔ-4においては、コネクタ本体３１１を１つの光学部で構成したものである。これは、第１のレンズ３１８を光ファイバ挿入孔３２０の底部分に形成することで、光学部内に空間３１９を作る必要がなくなったことから、可能となる。
【００９３】
「他の構成例５」
図１８は、他の構成例５としての送信側光コネクタ３００Ｔ-5を示す断面図である。この図１８において、図９、図１６と対応する部分には同一符号を付し、適宜、その詳細説明は省略する。送信側光コネクタ３００Ｔ-5においては、第１の光学部３１２に形成される光ファイバ挿入孔３２０の径が大きくされる。そして、この光ファイバ挿入孔３２０に、光ファイバ３３０が予め突き当てで固定されたフェルール３２３が挿入され、接着剤３２１によって固定されている。このような構成とすることで、光ファイバ３３０の先端を第１のレンズ３１８から一定距離を保つことが容易となる。
【００９４】
「他の構成例６」
図１９は、他の構成例６としての送信側光コネクタ３００Ｔ-6を示す断面図である。この図１９において、図９、図１６、図１８と対応する部分には同一符号を付し、適宜、その詳細説明は省略する。送信側光コネクタ３００Ｔ-6においては、コネクタ本体３１１を１つの光学部で構成したものである。その他は、図１８の送信側光コネクタ３００Ｔ-5と同様に構成されている。
【００９５】
「他の構成例７」
図２０は、他の構成例７としての送信側光コネクタ３００Ｔ-7を示す断面図である。この図２０において、図９と対応する部分には同一符号を付し、適宜、その詳細説明は省略する。送信側光コネクタ３００Ｔ-7においては、第１の光学部３１２に固定される発光体は、光ファイバ３３０ではなく、ＶＣＳＥＬ（Vertical Cavity Surface Emitting LASER：垂直共振器面発光レーザー）などの発光素子３４０である。
【００９６】
この場合、発光素子３４０は、第１の光学部３１２の背面側に、各チャネルの第１のレンズ３１８に合わせて、水平方向に並んだ状態で複数固定される。そして、この場合、各チャネルの発光素子３４０は、その出射部が対応する第１のレンズ３１８の光軸に一致するように、固定される。また、この場合、各チャネルの発光素子３４０の出射部がそれぞれ対応する第１のレンズ３１８の焦点位置と合致するように、第１の光学部３１２の光軸方向の厚み等が設定されている。
【００９７】
この送信側光コネクタ３００Ｔ-7においては、発光素子３４０の出射部から所定のＮＡで出射された光は第１のレンズ３１８に入射されて収束され（角度が狭められ）、この収束された光は第２のレンズ３１６に入射されてコリメート光に成形されて出射される。
【００９８】
このように第１の光学部３１２に発光素子３４０が固定されることで、発光素子３４０からの光信号を伝送する際に、光ファイバが不要となり、コストの低減が可能となる。
【００９９】
「他の構成例８」
図２１は、他の構成例８としての送信側光コネクタ３００Ｔ-8を示す断面図である。この図２１において、図９、図２０と対応する部分には同一符号を付し、適宜、その詳細説明は省略する。送信側光コネクタ３００Ｔ-8においては、コネクタ本体３１１の下面側に、発光素子３４０が載置された基板３４１が固定される。この場合、基板３４１には、発光素子３４０が、各チャネルの第１のレンズ３１８に合わせて、水平方向に並んだ状態で複数載置されている。
【０１００】
第１の光学部３１２には、下面側から上方に延びる発光素子配置用孔３２４が形成されている。そして、各チャネルの発光素子３４０からの光の光路を対応する第１のレンズ３１８の方向に変更するために、発光素子配置用孔３２４の底部分は傾斜面とされ、この傾斜面にミラー３４２が配置されている。なお、ミラー３４２に関しては、別個に生成されたものを傾斜面に固定するだけでなく、傾斜面に蒸着等で形成することも考えられる。
【０１０１】
ここで、基板３４１は、各チャネルの発光素子３４０の出射部がそれぞれ対応する第１のレンズ３１８の光軸に一致するように、位置が調整されて固定される。また、この場合、各チャネルの発光素子３４０の出射部がそれぞれ対応する第１のレンズ３１８の焦点位置と合致するように、第１のレンズ３１８の形成位置、発光素子配置用孔３２４の形成位置・長さ等が設定されている。
【０１０２】
この送信側光コネクタ３００Ｔ-8においては、発光素子３４０の出射部から所定のＮＡで出射された光はミラー３４２で光路変更された後に第１のレンズ３１８に入射されて収束され（角度が狭められ）、この収束された光は第２のレンズ３１６に入射されてコリメート光に成形されて出射される。
【０１０３】
このようにコネクタ本体３１１に発光素子３４０が載置された基板３４１が固定されることで、発光素子３４０からの光信号を伝送する際に、光ファイバが不要となり、コストの低減が可能となる。また、基板３４１に載置された発光素子３４０からの光をミラー３４２で光路変更して第１のレンズ３１８に入射する構成とされることで、実装が容易となり、設計自由度を上げることができる。
【０１０４】
「他の構成例９」
図２２は、他の構成例９としての送信側光コネクタ３００Ｔ-9を示す断面図である。この図２２において、図９、図２１と対応する部分には同一符号を付し、適宜、その詳細説明は省略する。送信側光コネクタ３００Ｔ-9においては、第１の光学部３１２には、下面側から上方に延びる光ファイバ挿入孔３２５が、各チャネルの第１のレンズ３１８に合わせて、水平方向に並んだ状態で複数形成されている。
【０１０５】
各光ファイバ挿入孔３２５に挿入される光ファイバ３３０からの光の光路を対応する第１のレンズ３１８の方向に変更するために、各光ファイバ挿入孔３２５の底部分は傾斜面とされ、この傾斜面にミラー３４２が配置されている。また、各光ファイバ挿入孔３２５は、そこに挿入される光ファイバ３３０のコア３３１と、それに対応する第１のレンズ３１８の光軸が一致するように、成形されている。
【０１０６】
各光ファイバ挿入孔３２５には、それぞれ対応するチャネルの光ファイバ３３０が挿入され、例えば図示しない接着剤が光ファイバ３３０の周囲に注入されることで固定される。この場合、光ファイバ３３０は、その先端（出射端）が対応する第１のレンズ３１８の焦点位置と合致するように、従って、その先端（出射端）がミラー３４２から一定距離に位置するように、その挿入位置が設定される。
【０１０７】
この送信側光コネクタ３００Ｔ-9においては、光ファイバ３３０の出射端から所定のＮＡで出射された光はミラー３４２で光路変更された後に第１のレンズ３１８に入射されて収束され（角度が狭められ）、この収束された光は第２のレンズ３１６に入射されてコリメート光に成形されて出射される。
【０１０８】
この構成例の場合、第１の光学部３１２がレンズ付きフェルールの構成とされているので、光ファイバ３３０と第１のレンズ３１８との光軸合わせを容易に行うことができる。また、この構成例の場合、光ファイバ３３０からの光の光路をミラー３４２で変更する構成であることから、実装が容易となり、設計自由度を上げることができる。
【０１０９】
「他の構成例１０」
図２３は、他の構成例１０としての送信側光コネクタ３００Ｔ-10を示す断面図である。この図２３において、図９、図１８、図２２と対応する部分には同一符号を付し、適宜、その詳細説明は省略する。送信側光コネクタ３００Ｔ-10においては、第１の光学部３１２に形成される光ファイバ挿入孔３２５の径が大きくされる。そして、この光ファイバ挿入孔３２５に、光ファイバ３３０が予め突き当てで固定されたフェルール３２３が挿入され、例えば図示しない接着剤によって固定されている。このような構成とすることで、光ファイバ３３０の先端位置をミラー３４２から一定距離に保つことが容易となる。
【０１１０】
＜２．変形例＞
なお、上述の実施の形態においては、シングルモードの光ファイバを用いる例で説明したが、本技術はマルチモードの光ファイバを用いる場合にも同様に適用でき、また、特定のＮＡに限定されない。また、上述実施の形態におけるミラーは、その他の光路変更部で実現することも考えられる。例えば、屈折率差を利用した全反射による光路変更部も考えられる。
【０１１１】
また、上述実施の形態においては、送信側の第２のレンズ３１６がコリメート光に成形する例で説明したが。これに限定されない。図２４は、コリメート光ではなく、収束光（集光方向に曲げられた光）を用いた光結合コネクタについて示している。この図２４において、図３と対応する部分については同一符号を付して示している。
【０１１２】
図２４（ａ）のように、送信側の光ファイバ１５から出射される光を光源とした場合、その光源の位置がずれると、受信側の集光ポイントも大きくずれる（破線参照）。これは、レンズ１１における収束光が崩れて、受信側では斜めにレンズ２１に入力され、集光ポイントがずれるためである。
【０１１３】
しかし、図２４（ｂ）に示すように、送信側の光源とレンズ１１との間の距離が長い場合、光源の位置がずれても、図２４（ａ）の場合に比べて、光ファイバ１５からレンズ１１への光の入射角度が緩く、またレンズ１１の曲率も緩くなっているため、収束光の崩れが抑制され、集光ポイントはずれにくくなる（破線参照）。これにより、レンズ１１でコリメート光に成形する場合でなくても、送信側の光源とレンズ１１との間の距離が長くすることで、送信側での光軸ずれに対する受信側での光パワーの結合ロスを減らすことが可能となる。
【０１１４】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１１５】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏し得る。
【０１１６】
なお、本技術は、以下のような構成もとることができる。
（１）発光体から出射された光を収束する第１のレンズと該第１のレンズで収束された光を成形して出射する第２のレンズを持つコネクタ本体を備える
光コネクタ。
（２）上記コネクタ本体は密閉空間を有し、
上記第１のレンズは上記密閉空間に位置する
前記（１）に記載の光コネクタ。
（３）上記第１のレンズは１つまたは２つ以上のレンズからなる
前記（１）または（２）に記載の光コネクタ。
（４）上記コネクタ本体は、上記発光体から出射された光が入射される第１の光学部と、上記第２のレンズを持つ第２の光学部からなる
前記（１）から（３）のいずれかに記載の光コネクタ。
（５）上記第１のレンズは、上記第１の光学部および/または上記第２の光学部に含まれる
前記（４）に記載の光コネクタ。
（６）上記発光体は光ファイバであり、
上記コネクタ本体は、上記光ファイバを挿入する挿入孔を有する
前記（１）から（５）のいずれかに記載の光コネクタ。
（７）上記第１のレンズは、上記挿入孔の底部分に存在する
前記（６）に記載の光コネクタ。
（８）上記挿入孔は、上記光ファイバが挿入固定されたフェルールを挿入するための挿入孔である
前記（７）に記載の光コネクタ。
（９）上記コネクタ本体は、上記挿入孔の底部分に光路を変更するための光路変更部を持ち、上記光ファイバから出射された光は上記光路変更部で光路変更されて上記第１のレンズに入射される
前記（６）から（８）のいずれかに記載の光コネクタ。
（１０）上記発光体は、電気信号を光信号に変換する発光素子である
前記（１）から（５）のいずれかに記載の光コネクタ。
（１１）上記発光素子は上記コネクタ本体に接続されており、
上記発光素子から出射された光は光路変更されずに上記第１のレンズに入射される
前記（１０）に記載の光コネクタ。
（１２）上記コネクタ本体は光路を変更するための光路変更部を持ち、
上記発光素子は基板に固定されており、
上記発光素子から出射された光は上記光路変更部で光路変更されて上記第１のレンズに入射される
前記（１０）に記載の光コネクタ。
（１３）上記第２のレンズは、上記第１のレンズから出射される光をコリメート光に成形するためのレンズである
前記（１）から（１２）のいずれかに記載の光コネクタ。
（１４）上記コネクタ本体は、
光透過性材料からなり、
上記第１のレンズおよび上記第２のレンズを一体的に持つ
前記（１）から（１３）のいずれかに記載の光コネクタ。
（１５）上記コネクタ本体は、上記第１のレンズと上記第２のレンズの組み合わせを複数持つ
前記（１）から（１４）のいずれかに記載の光コネクタ。
（１６）上記コネクタ本体は凹状の光出射部を持ち、
上記第２のレンズは上記光出射部の底部分に位置する
前記（１）から（１５）のいずれかに記載の光コネクタ。
（１７）上記コネクタ本体は、前面側に、接続相手側のコネクタとの位置合わせをするための凸状あるいは凹状の位置規制部を一体的に持つ
前記（１）から（１６）のいずれかに記載の光コネクタ。
（１８）上記発光体をさらに備える
前記（１）から（１７）のいずれかに記載の光コネクタ。
（１９）プラグとしての光コネクタを有する光ケーブルであって、
上記光コネクタは、
発光体から出射された光を収束する第１のレンズと該第１のレンズで収束された光を成形して出射する第２のレンズを持つコネクタ本体を備える
光ケーブル。
（２０）レセプタクルとしての光コネクタを有する電子機器であって、
上記光コネクタは、
発光体から出射された光を収束する第１のレンズと該第１のレンズで収束された光を成形して出射する第２のレンズを持つコネクタ本体を備える
電子機器。
【符号の説明】
【０１１７】
１００・・・電子機器
１０１・・・光通信部
１０２・・・発光部
１０３，１０４・・・光伝送路
１０５・・・受光部
２００Ａ，２００Ｂ・・・光ケーブル
２０１Ａ、２０１Ｂ・・・ケーブル本体
３００Ｔ，３００Ｔ-1〜３００Ｔ-10・・・送信側光コネクタ
３００Ｒ・・・受信側光コネクタ
３１１・・・コネクタ本体
３１２・・・第１の光学部
３１３・・・第２の光学部
３１４・・・接着剤注入孔
３１５・・・光出射部
３１６・・・第２のレンズ
３１７・・・位置規制部
３１８・・・第１のレンズ
３１９・・・空間（密閉空間）
３２０・・・光ファイバ挿入孔
３２１・・・接着剤
３２２・・・第１のレンズ
３２３・・・フェルール
３２４・・・発光素子配置用孔
３２５・・・光ファイバ挿入孔
３３０・・・光ファイバ
３３１・・・コア
３４０・・・発光素子
３４１・・・基板
３４２・・・ミラー
３３２・・・クラッド
３５１・・・コネクタ本体
３５２・・・接着剤挿入孔
３５３・・・光入射部
３５４・・・レンズ
３５５・・・位置規制部
３５６・・・光ファイバ挿入孔
３５７・・・接着剤
３７０・・・光ファイバ
３７１・・・コア
３７２・・・クラッド
【図１】
2020121769.tif 000003
【図２】
2020121769.tif 000004
【図３】
2020121769.tif 000005
【図４】
2020121769.tif 000006
【図５】
2020121769.tif 000007
【図６】
2020121769.tif 000008
【図７】
2020121769.tif 000009
【図８】
2020121769.tif 000010
【図９】
2020121769.tif 000011
【図１０】
2020121769.tif 000012
【図１１】
2020121769.tif 000013
【図１２】
2020121769.tif 000014
【図１３】
2020121769.tif 000015
【図１４】
2020121769.tif 000016
【図１５】
2020121769.tif 000017
【図１６】
2020121769.tif 000018
【図１７】
2020121769.tif 000019
【図１８】
2020121769.tif 000020
【図１９】
2020121769.tif 000021
【図２０】
2020121769.tif 000022
【図２１】
2020121769.tif 000023
【図２２】
2020121769.tif 000024
【図２３】
2020121769.tif 000025
【図２４】
2020121769.tif 000026
【国際調査報告】
2020121769.tif 000027
2020121769.tif 000028
2020121769.tif 000029
2020121769.tif 000030